(57)【特許請求の範囲】
【請求項１】
両縦枠の内側にフラップガイド面を設け、該フラップガイド面の扉回転軸側には下枠とのコーナー部に止水壁を設けた枠体と、閉状態を維持することが可能な扉開閉ハンドルが配置された扉より成り、該扉下部付近において該枠体と相対する側には、回転軸部を上側に有したシール部材付きフラップが配置され、該フラップには扉下部との間を保持する弾性体が形成され、該枠体の下枠には該フラップの先端部分が納まる溝部が形成されており、扉開時では、該フラップが下枠に接しない位置に該弾性体にて姿勢維持し、扉閉動作完了までに該フラップが該フラップガイド面に沿って下枠の溝部に挿入され、扉閉動作完了直後には人力による扉閉力によりフラップのシール部材が圧縮され止水可能な状態となり、扉開時にはフラップが下枠の溝部から離れることにより、扉の開閉動作が可能なことを特徴とする浴室ドアの止水構造。
【請求項２】
上記フラップが縦枠のフラップガイド面下部、止水壁及び下枠の溝部側面と接するところにシール部材を配置したことを特徴とする請求項１記載の浴室ドアの止水構造。
【請求項３】
上記フラップと扉との間に、フラップの上側に有する回転軸部を支点にした開閉角度を規制するリンク部とスライド部を有するストッパーを設け、フラップの先端部分と扉との距離を規制したことを特徴とする請求項１又は請求項２記載の浴室ドアの止水構造。
【請求項４】
上記フラップが先端部分の略Ｒ形状部分において、表面に低摩擦材料の表面被膜を形成していることを特徴とする請求項１及至請求項３のいづれか１項に記載の浴室ドアの止水構造。
【請求項５】
上記下枠の溝部において、下側に弾性体を、上側に可動ブロックを、可動ブロックと下枠間にはストッパーを設置し、扉開状態では、可動ブロック上面は下枠上面及び床面と同じ高さに位置するように保持され、扉閉動作時には可動ブロックはフラップの先端部分に押され溝内に収納されていき、扉開動作状態には収納された可動ブロックがフラップの先端部分の圧縮力から開放され初期状態にもどることを特徴とする請求項１及至請求項４のいづれか１項に記載の浴室ドアの止水構造。
【請求項６】
上記下枠の溝部において、扉側の誘い込み部の略Ｒ形状部分に、可動ローラを設けたことを特徴とする請求項１及至請求項４のいづれか１項に記載の浴室ドアの止水構造。
【請求項７】
上記可動ローラが回転部に溝部を塞ぐ突出部分があって、溝部を塞いだ状態を維持する為の弾性体とストッパーを可動ローラに設置し、扉開状態においては、可動ローラ突出部分が溝部挿入部を塞ぎ、扉閉動作状態においては可動ローラ部分がフラップの先端部分の挿入力により回転することによる接触抵抗を軽減することを特徴とする請求項１及至請求項６のいづれか１項に記載の浴室ドアの止水構造。
【請求項８】
上記フラップの固定部分である回転軸部を取り外し可能とし、固定軸部付き固定ボルトを用いてフラップの着脱が容易にできることを特徴とする請求項１及至請求項７のいづれか１項に記載の浴室ドアの止水構造。
【発明の詳細な説明】
【０００１】
【発明の属する技術分野】
本発明は、主にバリアフリー用浴室ドアの止水構造に関するものである。
【０００２】
【従来の技術】
近年、ドア枠の下枠部上面の高さを高くして段差を設けると、段差で足がつまずいたりする恐れがあり、浴室出入口側の段差を解消したバリアフリー用浴室ドアが望まれている。
【０００３】
このバリアフリー用浴室ドアの止水構造においては、図１０及び図１１に示すように、従来は、グラビティヒンジ４４を介してドア枠４１に取り付けられたスイングドア４３と、ドア下框４７下面とドア下枠４２上面との間に配設されたシール部材４６とを備えている。（例えば、特開平１０−１４０９４７号公報参照）。
【０００４】
上記段差のないスイングドア及び折れ戸においては、図１１に示すように、ドア枠４１と扉４３とに設置されたグラビティヒンジ４４と、ドア下框４７下面とドア下枠４２上面との間に配設されたシール部材４６とを備えた浴室ドアの止水構造によれば、ドアを閉じる際にドアがグラビティヒンジ４４により下降し、ドア下框４７下面とドア下枠４２上面との間に挟まれたシール部材４６が弾性変形して、ドア下框４７とドア下枠４２との間の水密性が実現されることになる。
【０００５】
【発明が解決しようとする課題】
従来の浴室ドアの止水構造において、止水構造を維持するために、扉下側にシール部材を設置する構造の場合、ドアの重量によるシール部材の弾性変形だけでは止水性を維持するための密閉圧力を維持できない。そのため、シール部材の耐変形圧力が小さいと水漏れが発生する。例えば、経年変化による気密材の変形、シャワーや漏水による水圧力により気密材の変形等がある。
【０００６】
本発明が解決しようとする課題は、浴室ドアの扉にシール部材付き可動フラップを設け、下枠に設けられた溝部に前記フラップが挿入し、ドア密閉力によりシール部材の密閉圧力を付加し、止水性を向上させることである。
【０００７】
【課題を解決するための手段】
前記課題を解決するために、枠体と扉から成り、前記扉下框付近には上側に回転軸部を持ったシール部材付きフラップと、前記フラップを保持する弾性体があり、下枠には前記フラップ挿入用の溝部が設置されており、縦枠には前記フラップのガイドとなるフラップガイド面を有する浴室ドアにおいて、扉開状態では前記フラップが下枠に接しない位置に前記弾性体にて姿勢維持し、扉閉時には扉開閉ハンドルを動作させ、扉閉状態を維持することにより、フラップのシール部材に密閉圧力がかかり止水状態を維持するものである。
【０００８】
本発明の請求項１記載の浴室ドアの止水構造は、両縦枠の内側にフラップガイド面を設け、該フラップガイド面の扉回転軸側には下枠とのコーナー部に止水壁を設けた枠体と、閉状態を維持することが可能な扉開閉ハンドルが配置された扉より成り、該扉下部付近において該枠体と相対する側には、回転軸部を上側に有したシール部材付きフラップが配置され、該フラップには扉下部との間を保持する弾性体が形成され、該枠体の下枠には該フラップの先端部分が納まる溝部が形成されており、扉開時では、該フラップが下枠に接しない位置に該弾性体にて姿勢維持し、扉閉動作完了までに該フラップが該フラップガイド面に沿って下枠の溝部に挿入され、扉閉動作完了直後には人力による扉閉力によりフラップのシール部材が圧縮され止水可能な状態となり、扉開時にはフラップが下枠の溝部から離れることにより、扉の開閉動作が可能なことを特徴とする。
【０００９】
したがって、高密閉圧力を保持することができ、止水信頼性を向上させることができる。
【００１０】
本発明の請求項２記載の浴室ドアの止水構造は、請求項１記載のフラップが縦枠のフラップガイド面下部、止水壁及び下枠の溝部側面と接するところにシール部材を配置したことを特徴とする。
【００１１】
したがって、高さ方向の止水範囲を拡大することができる。
【００１２】
本発明の請求項３記載の浴室ドアの止水構造は、請求項１又は請求項２記載のフラップと扉との間に、フラップの上側に有する回転軸部を支点にした開閉角度を規制するリンク部とスライド部を有するストッパーを設け、フラップの先端部分と扉との距離を規制したことを特徴とする。
【００１３】
したがって、フラップ動作の信頼性を向上させることができる。また、見栄えを良くすることができる。
【００１４】
本発明の請求項４記載の浴室ドアの止水構造は、請求項１及至請求項３のいづれか１項に記載のフラップが先端部分の略Ｒ形状部分において、表面に低摩擦材料の表面被膜を形成していることを特徴とする。
【００１５】
したがって、フラップ動作の信頼性を向上させることができる。
【００１６】
本発明の請求項５記載の浴室ドアの止水構造は、請求項１及至請求項４のいづれか１項に記載の下枠の溝部において、下側に弾性体を、上側に可動ブロックを、可動ブロックと下枠間にはストッパーを設置し、扉開状態では、可動ブロック上面は下枠上面及び床面と同じ高さに位置するように保持され、扉閉動作時には可動ブロックはフラップ先端部分に押され溝内に収納されていき、扉開動作状態には収納された可動ブロックがフラップの先端部分の圧縮力から開放され初期状態にもどることを特徴とする。
【００１７】
したがって、ドア枠の下枠部上面に段差が無く、バリアフリー状態を確保できる。また、溝部に異物が挿入されることを防止できる。
【００１８】
本発明の請求項６記載の浴室ドアの止水構造は、請求項１及至請求項４のいづれか１項に記載の下枠の溝部において、扉側の誘い込み部の略Ｒ形状部分に、可動ローラを設けたことを特徴とする。
【００１９】
したがって、フラップ動作の信頼性を向上させることができる。
【００２０】
本発明の請求項７記載の浴室ドアの止水構造は、請求項１及至請求項６のいづれか１項に記載の可動ローラが回転部に溝部を塞ぐ突出部分があって、溝部を塞いだ状態を維持する為の弾性体とストッパーを可動ローラに設置し、扉開状態においては、ローラ突出部分が溝部挿入部を塞ぎ、扉閉動作状態においては可動ローラ部分がフラップの挿入力により回転することによる接触抵抗を軽減することを特徴とする。
【００２１】
したがって、ドア枠の下枠上面に段差が無く、バリアフリー状態を確保できる。また、溝部に異物が挿入されることを防止できる。
【００２２】
本発明の請求項８記載の浴室ドアの止水構造は、請求項１及至請求項７のいづれか１項に記載のフラップの固定部分である回転軸部を取り外し可能とし、固定軸部付き固定ボルトを用いてフラップの着脱が容易にできることを特徴とする。
【００２３】
したがって、フラップを取り外して水洗いができ、フラップ部の清掃性を向上させることができる。また、頻繁に清掃ができるため、フラップ動作の信頼性を向上させることができる。
【００２４】
【発明の実施の形態】
（実施形態１）
実施形態１の浴室ドアの止水構造は、図１に示すように、両縦枠１３の内側にフラップガイド面６を設け、該フラップガイド面６の扉回転軸１２側には下枠９とのコーナー部に止水壁１４を設けた枠体１と、閉状態を維持することが可能な扉開閉ハンドル８が配置された扉２より成り、該扉２下部付近において該枠体１と相対する側には、回転軸部３を上側に有したシール部材１０付きフラップ４が配置され、該フラップ４には扉２下部との間を保持する弾性体５が形成され、該枠体１の下枠９には該フラップ４の先端部分２１が納まる溝部７が形成されており、扉開時では、該フラップ４が下枠９に接しない位置に該弾性体５にて姿勢維持し、扉閉動作完了までに該フラップ４が該フラップガイド面６に沿って下枠９の溝部７に挿入され、扉閉動作完了直後には人力による扉閉力によりフラップ４のシール部材１０が圧縮され止水可能な状態となり、扉開時にはフラップ４が下枠９の溝部７から離れることにより、扉２の開閉動作が可能とするものである。
【００２５】
下枠９部分に段差がないバリアフリー対応浴室スイングドアでは、浴室出入口に設置されるドア枠体１と前記枠体１に設置された回転可動扉２よりなる。
【００２６】
また、ここでは、枠体１、扉２下框部材にはアルミニウムあるいは塩化ビニル等の合成樹脂の押出材を使用している。
【００２７】
前記扉２下框付近において枠体１と相対する側には、回転軸部３を持ったシール部材１０付きフラップ４、前記フラップ４と下框の間にはバネが設置されており、回転軸部３は上側に配置され、前記フラップ４は外部からの影響がない限り下枠９及び床には接しない姿勢を維持し続ける。バネは回転軸部３に設置するねじり用コイルバネでも良い。設置箇所は、扉幅寸法に準じ設ける。
【００２８】
前記縦枠１３にはフラップガイド面６が突出しており、前記下枠９には前記フラップ４先端部分２１が納まる溝部７があり、前記フラップガイド面６の扉２に相対する面と溝部７の面には段差が無いように設置する。更に、前記フラップ４が可動しない扉回転軸１２側付近では下枠９付近にも止水壁１４を設ける。
【００２９】
また、扉２には扉開閉ハンドル８と連結したロックを、枠側にはストライクを設け、扉開閉ハンドル８の回転により扉２の閉状態を維持できるようにする。
【００３０】
前記フラップ４先端部分２１は略Ｒ形状となっており、枠側への突出面にはシール部材１０としてはシリコンゴムが設置されている。下枠９溝部７の扉側においては前記フラップ４を挿入し易くする為、略Ｒ形状の誘い込み部１１を設ける。溝部７の深さはフラップ４先端部分２１が納まった時に隙間があくように設定しておく。
【００３１】
本実施形態の浴室ドアの止水構造では、図２に示すように、下枠９付近での扉開閉作業動作は以下のようになる。
（１）最初扉開状態（前記フラップ４がフラップガイド面６に接触するまで）では、前記フラップ４が下枠９に接しない位置に前記バネにて姿勢維持している。
（２）扉閉動作中に前記フラップ４が前記フラップガイド面６に沿って前記溝部７に挿入されていく。
（３）扉閉動作完了直後に人力による扉閉力がてこの原理により前記シール部分の圧縮圧力が増幅され止水性が向上される。また、２０ｋｇｆ以下の人力動作により実施可能なシール縮み代を調整する。
（４）扉閉状態は、扉開閉ハンドル８によるロック状態により、密閉圧力が維持される。
（５）扉開時には、フラップ４が溝部７から離れることにより、扉２の開閉は容易となる。
【００３２】
また、図３に示すように、上記動作にて扉回転軸１２に近い部分では前記フラップ４の可動幅が少ない為、扉回転軸１２に近い下枠９付近にのみ止水壁１４を設けるが、フラップ４の挿入代は前記止水壁１４のない部分と同等となるようにフラップ４の長さを調整する。
【００３３】
これにより、止水性能が向上し、また、浴室側からのシャワー散水等の水圧や漏水圧があっても、シール部のバックアップにフラップ４部分があるため、水漏れが少なくなる。
【００３４】
また、図４に示すように、縦枠１３と接触するフラップ４部分には溝部７挿入のシール部材１０と連結して配置することにより、浴室からの水に対して高さ方向でも止水可能となる。
【００３５】
フラップ４の先端部分２１の略Ｒ形状部分には、フッ素樹脂コーティング材による表面被膜を形成する。また、フラップ４先端部分２１と接するフラップガイド面６と溝部７表面部分にも表面被膜を形成しても良い。この時、扉開閉動作においてフラップ４の先端部分２１が滑らかに溝部７に挿入され信頼性が向上する。
【００３６】
また、図５に示すように、フラップ４の姿勢を維持し、かつ、扉開状態時にフラップ４が開き過ぎ、美観上問題にならないようにフラップ４と扉２間にリンク式のストッパー１６を設ける。ストッパー１６は、フラップ４裏面に回転軸受け部１８とリンク部１７、扉２側にスライドレール部１９で構成されている。
【００３７】
以上により、本実施形態の浴室ドアの止水構造は、フラップ４動作の信頼性を高め、高密閉圧力保持による止水信頼性を向上させることができる。さらに、高さ方向の止水範囲を拡大することができるものである。
【００３８】
（実施形態２）
実施形態２の浴室ドアの止水構造は、実施形態１において、下枠９溝部７に可動ブロック２２と溝底との間にはバネ２４を設置するもので下枠９溝部７の段差をなくしバリアフリー状態とするものである。
【００３９】
図６に示すように、ここでは可動ブロック２２が長尺バーになるため、ストッパー用のピン２６を複数箇所設置するか、あるいは、可動ブロック２２にツバを設けて前面で受けるようにする。
【００４０】
扉開状態では、可動ブロック２２上面は下枠９及び床面と同じ高さに位置するように保持され、扉閉動作時には可動ブロック２２は溝部７に収納される。扉開動作状態においては、収納された可動ブロック２２がフラップ４先端部分２１の圧縮力から開放され初期状態に戻る。
【００４１】
これにより、扉開状態にて人が出入りする時には、下枠９と床部分の隙間がなくなりバリアフリー状態となる。また、扉開状態で溝部７が可動ブロック２２で塞がれている為、埃や塵等の異物が入ることを防ぐことができる。
【００４２】
（実施形態３）
実施形態３の浴室ドアの止水構造は、図７に示すように、実施形態１において、下枠９溝部７の扉側にある誘い込み部１１に可動ローラ２７を設けるものである。前記フラップ４接触挿入時には可動ローラ２７が回転し、前記フラップ４との接触抵抗を軽減し、前記フラップ４動作の信頼性を向上させるものである。
【００４３】
（実施形態４）
実施形態４の浴室ドアの止水構造は、図８に示すように、実施形態１において、下枠９溝部７の扉側にある誘い込み部１１に可動ローラ２７を設け、その可動ローラ２７は溝部７を塞ぐ突出部分２９があって、ローラ回転部２８の回転軸にねじり用コイルバネとストッパーを設置したものである。
【００４４】
扉開状態においては、前記可動ローラ２７の突出部分２９は溝部７にフタをする。扉閉動作状態においては、フラップ４との接触抵抗を軽減する。
【００４５】
これにより、前記フラップ４動作の信頼性を向上させるものである。また、扉開状態にて人が出入りする時には、下枠９と床部分の隙間がなくなりバリアフリー状態となる。また、扉開状態で溝部７が塞がれている為、埃や塵等の異物が入ることを防ぐことができる。
【００４６】
（実施形態５）
実施形態５の浴室ドアの止水構造は、実施形態１において、フラップ４の固定部分である回転軸部３を取り外し方式とし、スラップ４の着脱を容易にするものである。
【００４７】
図９に示すように、フラップ４の回転軸部３には、回転軸部付き固定ボルト３０が回転軸となる回転軸部３を数箇所設け、扉２裏面下部には回転軸部付き固定ボルト３０が固定されるナット受け部３１を設け、フラップ４の回転軸に回転軸部付き固定ボルト３０を挿入し、ナット受け部３１に固定する。
【００４８】
これにより、扉２とフラップ４間の清掃が容易になり、汚れ３２が無くなり、フラップ４動作の信頼性を向上させることができる。
【００４９】
【発明の効果】
以上のように本発明によれば、浴室ドアの扉にシール部材付き可動フラップを設け、下枠に設けられた溝部に前記フラップが挿入され、ドア密閉力によりシール部材の密閉圧力を付加し、止水性を向上させることができる。
【図面の簡単な説明】
【図１】実施形態１における浴室ドアを浴室側から見た状態を示し、（ａ）はドア全体を示す正面図であり、（ｂ）はドア下部を示す正面図であり、（ｃ）はドア下部を示す断面図である。
【図２】実施形態１における浴室ドアの止水構造の下枠付近での動作状態を示し、（ａ）は扉閉完了状態を示す断面図で、（ｂ）は扉閉動作状態を示す断面図で、（ｃ）は扉開状態を示す断面図である。
【図３】実施形態１における浴室ドアの止水構造のフラップと止水壁を示し、（ａ）は扉開時の浴室ドアを示す断面図で、（ｂ）は扉閉時の浴室ドアを示す断面図である。
【図４】実施形態１における浴室ドアの止水構造のフラップのシール範囲を示す正面図である。
【図５】実施形態１における浴室ドアの止水構造の下枠付近のストッパーを示し、（ａ）は扉閉完了状態を示す断面図で、（ｂ）は扉開動作状態を示す断面図である。
【図６】実施形態２における浴室ドアの止水構造の下枠付近の可動ブロック部を示し、（ａ）は扉開状態を示す断面図で、（ｂ）は扉閉動作状態を示す断面図で、（ｃ）は扉閉完了状態を示す断面図である。
【図７】実施形態３における浴室ドアの止水構造の下枠付近の可動ローラ部を示し、（ａ）は扉開状態を示す断面図で、（ｂ）は扉閉動作状態を示す断面図で、（ｃ）は扉閉完了状態を示す断面図である。
【図８】実施形態４における浴室ドアの止水構造の下枠付近の突出部分を有する可動ローラ部を示し、（ａ）は扉開状態を示す断面図で、（ｂ）は扉閉動作状態を示す断面図で、（ｃ）は扉閉完了状態を示す断面図である。
【図９】実施形態５における浴室ドアの止水構造のフラップの着脱構造を示し、（ａ）は取り付いた状態を示す正面図で、（ｂ）は取り外した状態を示す正面図である。
【図１０】従来の浴室ドアの止水構造を示し、（ａ）はグラビティヒンジが通常の状態を示す正面図で、（ｂ）はグラビティヒンジが下降した状態を示す正面図である。
【図１１】従来の浴室ドアの止水構造のシール部材を示す断面図である。
【符号の説明】
１      枠体
２      扉
３      回転軸部
４      フラップ
５      弾性体
６      フラップガイド面
７      溝部
８      扉開閉ハンドル
９      下枠
１０    シール部材
１１    誘い込み部
１２    扉回転軸
１３    縦枠
１４    止水壁
１５    止水高さ範囲
【図１】
0003685141.tif 000002
【図２】
0003685141.tif 000003
【図３】
0003685141.tif 000004
【図４】
0003685141.tif 000005
【図５】
0003685141.tif 000006
【図６】
0003685141.tif 000007
【図７】
0003685141.tif 000008
【図８】
0003685141.tif 000009
【図９】
0003685141.tif 000010
【図１０】
0003685141.tif 000011
【図１１】
0003685141.tif 000012